【手続補正書】
【提出日】平成21年4月3日(2009.4.3)
【手続補正１】
【補正対象書類名】特許請求の範囲
【補正対象項目名】全文
【補正方法】変更
【補正の内容】
【特許請求の範囲】
【請求項１】
自動車車両シートのシート座部に対するシート背もたれ部の揺動運動を提供するリクライナであって、
前記シート座部に装着するよう構成した案内プレートであって、前記案内プレートが中心孔を有する前記案内プレートと、
前記案内プレートに回動可能に組み付けられ、前記シート背もたれ部に装着するよう構成された歯付きプレートであって、前記歯付きプレートがその上に一連の内歯を有するフランジを有し、前記案内プレートの前記中心孔と同軸の中心孔を有する前記歯付きプレートと、
前記歯付きプレートと前記案内プレートとの間に装着された複数の爪であって、それぞれの前記爪が歯付き面を有し、該歯付き面が前記歯付きプレートの前記一連の歯に係合して該歯付きプレートを前記案内プレートに対し固定するロック位置と前記歯付き面が前記案内プレートの前記歯から離間して該案内プレートに対する前記歯付きプレートの移動を可能にするロック解除位置との間で可動とされる前記爪と、
前記案内プレートから延びる複数のガイドであって、前記爪を受け止めて該爪を前記ロック位置とロック解除位置との間で案内する前記ガイドと、
前記案内プレートと前記歯付きプレートとの間に回動可能に装着したカムであって、前記カムが前記爪に選択的に係合する複数のローブが画成するカム面を有し、前記カムの回動により前記ロック位置と前記ロック解除位置との間で選択的に前記爪を移動させる前記カムと、
前記カムを連続的に偏倚させるばねであって、前記カムが前記複数の爪を前記ロック位置へ向け付勢する前記ばねと、
前記カムに係合するブッシュであって、前記カムと前記ブッシュが両者間に空動き連結を有し、駆動関係にて前記ブッシュが前記カムに係合する前に相対回転を制限できるようにする前記ブッシュとを備える、リクライナ。
【請求項２】
前記ブッシュは該ブッシュが前記カム面の外で回動できるように構成された、請求項１記載のリクライナ。
【請求項３】
前記各爪は爪本体と弧状周縁とを有し、前記弧状周縁がその上に前記歯付き面を有し、前記弧状周縁を前記爪本体よりも幅広とした、請求項１記載のリクライナ。
【請求項４】
自動車車両のシート座部に対するシート背もたれ部の揺動運動を提供するリクライナであって、
前記シート座部に装着するよう構成した案内プレートであって、前記案内プレートが中心孔を有する前記案内プレートと、
前記案内プレートに回動可能に組み付けられ、前記シート背もたれ部に装着する構成とした歯付きプレートであって、前記歯付きプレートがその上に一連の内歯を有するフランジを有し、前記案内プレートの前記中心孔と同軸の中心孔を有する前記歯付きプレートと、
前記歯付きプレートと前記案内プレートとの間に装着した複数の爪であって、それぞれの前記爪が歯付き面を有し、該歯付き面が前記歯付きプレートの前記一連の歯に係合して該歯付きプレートを前記案内プレートに対し固定するロック位置と前記歯付き面が前記案内プレートの前記歯から離間し該案内プレートに対する前記歯付きプレートの移動を可能にするロック解除位置との間で可動とされる記爪と、
前記案内プレートから延びる複数のガイドであって、前記爪を受け止めて該爪を前記ロック位置とロック解除位置の間で案内する前記ガイドと、
前記案内プレートと前記歯付きプレートとの間に回動可能に装着したカムであって、前記カムが前記爪に選択的に係合する複数のローブが画成するカム面を有し、前記ロック位置と前記ロック解除位置との間で選択的に前記爪を移動させる前記カムと、
前記カムを連続的に付勢するばねであって、前記カムが前記複数の爪を前記ロック位置へ向け付勢する前記ばねと、
前記案内プレート上の当接部及び前記歯付きプレート上の当接部であって、両者間の相対的回転移動を制限する前記当接部とを備える、リクライナ。
【請求項５】
前記リクライナは前記カムに係合するブッシュをさらに備え、前記カムと前記ブッシュが両者間に空動き連結を有する、請求項４記載のリクライナ。
【請求項６】
前記ブッシュは該ブッシュが前記カム面の外で回転できるように構成され、駆動関係にて前記ブッシュが前記カムに係合する前に相対回転を制限できるようにする、請求項５記載のリクライナ。
【請求項７】
前記案内プレートと前記歯付きプレートの少なくとも一方が二つの当接部を有する、請求項６記載のリクライナ。
【請求項８】
前記当接部は前記案内プレートと前記歯付きプレートとの間の回転移動を約１８０度に制限する位置にある、請求項６記載のリクライナ。
【請求項９】
シート背もたれ部と、シート座部と、前記シート背もたれ部を前記シート座部へヒンジ装着してシート座部に対するシート背もたれ部の揺動運動を提供する一対のリクライナとを備える車両シートであって、前記リクライナのそれぞれは、
前記シート座部ブラケットに装着するよう構成した案内プレートであって、前記案内プレートが中心孔を有する前記案内プレートと、
前記案内プレートに回動可能に組み付けられ、前記シート背もたれ部に装着するよう構成した歯付きプレートであって、前記歯付きプレートがその上に一連の内歯を有するフランジを有し、前記案内プレートの前記中心孔と同軸の中心孔を有する前記歯付きプレートと、
前記歯付きプレートと前記案内プレートとの間に装着した複数の爪であって、それぞれの前記爪が歯付き面を有し、該歯付き面が前記歯付きプレートの前記一連の歯に係合して該歯付きプレートを前記案内プレートに対し固定するロック位置と前記歯付き面が前記案内プレートの前記歯から離間して該案内プレートに対する前記歯付きプレートの移動を可能にするロック解除位置との間で可動される前記爪と、
前記案内プレートから延びる複数のガイドであって、前記爪を受け止めて該爪を前記ロック位置とロック解除位置の間で案内する前記ガイドと、
前記案内プレートと前記歯付きプレートとの間に回動可能に装着されたカムであって、前記カムが前記爪に選択的に係合する複数のローブが画成するカム面を有し、前記係合位置と前記係合解除位置との間で選択的に前記爪を移動させる前記カムと、
前記カムを連続的に付勢するばねであって、前記カムが前記複数の爪を前記ロック位置へ向け付勢する前記ばねと、
一対の前記リクライナを互いに一体化するロッドと、
前記カムに係合し、前記カムと前記ブッシュが両者間に空動き連結を有する前記ブッシュであって、駆動関係にて前記ロッドが各々の前記リクライナ上の前記ブッシュを貫通して伸ばしている前記ブッシュとを備える、車両シート。
【請求項１０】
前記リクライナはそれぞれ前記案内プレート上の当接部と前記歯付きプレート上の当接部とを含み、前記当接部が係合して両者間の相対的回動移動を制限する、請求項９記載の車両シート。
【請求項１１】
前記ブッシュは前記ブッシュが前記カム面の外で回動できるように構成された、請求項９記載の車両用シート。
【請求項１２】
前記各爪は爪本体と弧状周縁とを有し、前記弧状周縁がその上に前記歯付き面を有し、前記弧状周縁を前記爪本体よりも幅広とした、請求項９記載の車両シート。
【請求項１３】
前記ブッシュは、前記リクライナが整列し構築公差内で互いに平行であるときに、前記ロッドが回転し、前記各リクライナを共通駆動できるよう構成された、請求項９記載の車両シート。
【請求項１４】
前記空動き連結は、前記リクライナの他方の爪を前記ロック状態へ駆動することなく前記リクライナの一方の爪をロック状態へ移動できるようにした、請求項９記載の車両シート。
【請求項１５】
自動車車両シートのシート座部に対するシート背もたれ部の揺動運動を提供するリクライナであって、
前記シート座部に装着するよう構成した案内プレートと、
前記案内プレートに回動可能に組み付けられ、前記シート背もたれ部に装着するよう構成した歯付きプレートであって、前記歯付きプレートがその上に一連の内歯を有するフランジを有する前記歯付きプレートと、
前記歯付きプレートと前記案内プレートとの間に装着した複数の爪であって、それぞれの前記爪が歯付き面を有し、該歯付き面が前記歯付きプレートの前記一連の歯に係合して該歯付きプレートを前記案内プレートに対し固定するロック位置と前記歯付き面が前記案内プレートの前記歯から離間して該案内プレートに対する前記歯付きプレートの移動を可能にするロック解除位置との間で可動される前記爪と、
前記案内プレートから延びる複数のガイドであって、前記爪を受け止めて該爪を前記ロック位置とロック解除位置との間で案内する前記ガイドと、
前記案内プレートと前記歯付きプレートとの間に回動可能に装着されたカムであって、前記カムが前記爪に選択的に係合する複数のローブが画成するカム面を有し、前記ロック位置と前記ロック解除位置との間で選択的に前記爪を移動させる前記カムと、
前記カムを連続的に付勢するばねであって、前記カムが前記複数の爪を前記ロック位置へ向け付勢する前記ばねとを備え、
前記各爪が爪本体と弧状周縁とを有し、前記弧状周縁がその上に前記歯付き面を有し、前記爪本体よりも幅広とした、リクライナ。
【請求項１６】
各々の前記爪の前記爪本体は第１の摺動面と第２の摺動面とを有し、該摺動面が前記爪本体の両側を概ね互いに平行に延びており、前記摺動面のそれぞれが前記複数のガイドの一つに係合する、請求項１４記載のリクライナ。
【請求項１７】
前記第１の摺動面は、前記第２の摺動面よりも長い、請求項１５記載のリクライナ。
【請求項１８】
前記リクライナは、前記カムに固着されたブッシュをさらに備え、前記カムと前記ブッシュは両者間に空動き連結を有する、請求項１６記載のリクライナ。
【請求項１９】
前記リクライナは前記案内プレート上の当接部と前記歯付きプレート上の当接部とをさらに備え、前記当接部が係合して前記歯付きプレートと前記案内プレートとの間の相対的回動移動を制限する、請求項１６記載のリクライナ。
【請求項２０】
請求項１５乃至１９に記載の一対のリクライナを導入した車両シートであって、前記リクライナを前記車両シートの両側に装着し、該一対のリクライナ間を延びて該一対のリクライナの操作を一体化するロッドを有する、車両シート。